(57)【要約】【課題】表示器の画面に表示している画像が他人に覗き見されるのを抑え、且つ、操作性を無駄に低下させることがない表示画像制御ユニットを提供する。【解決手段】表示画像制御ユニット１は、ビデオカメラ２で撮像している画像を処理し、表示器３の画面に表示している画像を覗き見できる位置に、利用者以外の他人がいるかどうかを判定する。表示画像制御ユニット１は、表示器３の画面に表示している画像を覗き見できる位置に、他人である覗き見者がいると、表示する画像のサイズを縮小する。また、表示画像制御ユニット１は、表示器３の画面上における縮小した画像の表示位置を、覗き見者から見えにくい位置に設定する。表示画像制御ユニット１は、表示器３の画面に表示している画像を覗き見できる位置に、覗き見者がいなければ、表示する画像のサイズを縮小することなく、通常サイズで表示する。【選択図】図１
2012027641.tif 000002
【特許請求の範囲】
【請求項１】
接続されている表示器の画面上における画像の表示を制御する表示画像制御ユニットであって、
前記表示器の前方を撮像している撮像装置の撮像画像を処理し、当該表示器の画面上に表示している画像を見ている人物を検知する人物検知手段と、
前記人物検知手段が検知した前記表示器の画面上に表示している画像を見ている人物が一人であれば、この表示器の画面上に表示する画像を通常サイズに設定し、前記人物検知手段が検知した前記表示器の画面上に表示している画像を見ている人物が複数人であれば、この表示器の画面上に表示する画像を前記通常サイズよりも小さい縮小サイズに設定する画像サイズ設定手段と、を備えた表示画像制御ユニット。
【請求項２】
前記人物検知手段が検知した前記表示器の画面上に表示している画像を見ている人物が複数人であれば、この表示器の画面に最も近い人物を利用者と判断し、その他の人物を覗き見している覗き見者と判断する覗き見者判断手段と、
前記覗き見者判断手段が判断した覗き見者毎に視線の方向を検出する視線方向検出手段と、
前記視線方向検出手段が検出した各覗き見者の視線の方向に応じて、前記表示器の画面上における、前記縮小サイズの画像の表示位置を決定する表示位置決定手段と、を備えた請求項１に記載の表示画像制御ユニット。
【請求項３】
覗き見者毎に、前記視線方向検出手段が検出した視線の方向を用いて、前記表示器の画面上の可視領域を推定する可視領域推定手段を備え、
前記画像サイズ設定手段は、前記可視領域推定手段が覗き見者毎に推定した可視領域に基づいて、前記縮小サイズの画像の大きさを決定する、請求項２に記載の表示画像制御ユニット。
【請求項４】
前記覗き見者判断手段で覗き見者であると判断された人物がいれば、覗き見にかかる警告画像を前記表示器の画面に表示する警告手段を備えた請求項２、または３に記載の表示画像制御ユニット。
【請求項５】
接続されている表示器の画面上における画像の表示をコンピュータに制御させる表示画像制御プログラムであって、
前記表示器の前方を撮像している撮像装置の撮像画像を処理し、当該表示器の画面上に表示している画像を見ている人物を検知する人物検知ステップと、
前記人物検知ステップが検知した前記表示器の画面上に表示している画像を見ている人物が一人であれば、この表示器の画面上に表示する画像を通常サイズに設定し、前記人物検知ステップが検知した前記表示器の画面上に表示している画像を見ている人物が複数人であれば、この表示器の画面上に表示する画像を前記通常サイズよりも小さい縮小サイズに設定する画像サイズ設定ステップと、をコンピュータに実行させる表示画像制御プログラム。
【請求項６】
請求項１〜４のいずれかに記載の表示画像制御ユニットを適用した自動取引処理装置であって、
利用者の入力操作に応じて、取引を処理する取引処理手段を備え、
表示画像制御ユニットは、前記表示器に操作案内画面を表示する、自動取引処理装置。
【発明の詳細な説明】
【技術分野】
【０００１】
この発明は、表示器の画面上に表示している画像が他人に覗き見されるのを防止する表示画像制御ユニット、および表示画像制御プログラムに関する。また、この表示画像制御ユニットを適用した現金自動預け払い機等の自動取引処理装置に関する。
【背景技術】
【０００２】
従来、利用者の入力操作に応じて、その利用者が要求する取引を処理する自動取引処理装置がある。自動取引処理装置としては、金融機関の金融機関の店舗や、コンビニエンスストア等に設置している現金自動預け払い機（以下、ＡＴＭと言う。）、コンビニエンスストアに設置されているコンサート等のイベントのチケット販売機、病院等に設置されている医療費の精算機等、色々な機器がある。
【０００３】
一般的な自動取引処理装置は、利用者に対して操作案内画面を表示する表示器を備えている。自動取引処理装置は、タッチパネルを表示器の画面上に貼付し、このタッチパネルで利用者が押下している画面上の位置を検出することにより、当該利用者の入力操作を検知する。
【０００４】
また、自動取引処理装置は、取引処理時に、利用者の個人情報を表示器の画面に表示したり、個人情報等を利用者に入力させることがある。このため、表示器の画面が利用者以外の他人に覗き見され、利用者の個人情報の漏洩を防止する対策が要望されている。
【０００５】
例えば、特許文献１は、カメラの撮像画像を処理し、自動取引処理装置を操作している利用者の他に、表示器の画面を覗き込める人物がいるかどうかを検知し、表示器の画面を覗き込める他人がいれば、その旨を利用者に報知する構成を提案している。また、表示器の画面を覗き込める他人の視野を推定し、表示器の画面を、この他人が視認できない向きに変更する構成を提案している。
【０００６】
また、特許文献２は、取引処理時には、表示器の画面に表示する操作案内画面を、利用者がいないときに表示する広告画面に比べて、小さくする構成を提案している。
【先行技術文献】
【特許文献】
【０００７】
【特許文献１】特開２００６−３１２８７号公報
【特許文献２】特開２００６−１１７６５号公報
【発明の概要】
【発明が解決しようとする課題】
【０００８】
しかしながら、特許文献１のように、表示器の画面の向きを変更する構成では、装置本体の構成が複雑になり、コストアップという問題がある。
【０００９】
また、特許文献２のように、覗き見している他人の有無に関わらず、取引処理時に表示器の画面に表示する操作案内画面のサイズを小さくする構成では、操作性を無駄に低下させてしまう。
【００１０】
この発明の目的は、表示器の画面に表示している画像が他人に覗き見されるのを抑え、且つ、操作性を無駄に低下させることがない表示画像制御ユニット、および表示画像制御プログラムを提供することにある。
【００１１】
また、この発明は、上述の表示画像制御ユニットを適用することにより、個人情報の漏洩に対するセキュリティを高め、且つ利用者の操作性を無駄に低下させることがない自動取引処理装置を提供することを目的とする。
【課題を解決するための手段】
【００１２】
この発明の表示画像制御ユニットは、上述した課題を解決し、その目的を達するために以下のように構成している。
【００１３】
この表示画像制御ユニットは、表示器の画面上に表示する画像を制御する。人物検知手段が、表示器の前方を撮像している撮像装置の撮像画像を処理し、当該表示器の画面上に表示している画像を見ている人物を検知する。通常、表示器の画面を見る人物は、利用者だけである。画像サイズ設定手段は、人物検知手段が検知した表示器の画面上に表示している画像を見ている人物が一人であれば、すなわち表示器の画面を見ているのが利用者だけであれば、この表示器の画面上に表示する画像を通常サイズに設定する。したがって、他人が表示器の画面を覗いていないときには、利用者の操作性を無駄に低下させることがない。一方、画像サイズ設定手段は、人物検知手段が検知した表示器の画面上に表示している画像を見ている人物が複数人であれば、すなわち表示器の画面を覗いている覗き込み者がいれば、この表示器の画面上に表示する画像を通常サイズよりも小さい縮小サイズに設定する。これにより、表示器の画面に表示している画像が他人に覗き見されるのを抑えられる。
【００１４】
また、人物検知手段が検知した表示器の画面上に表示している画像を見ている人物が複数人であれば、この表示器の画面に最も近い人物を利用者と判断し、その他の人物を覗き見している覗き見者と判断すればよい。表示器の画面に表示している画像を覗き見するときに、利用者よりも表示器の画面に近づくことはない。
【００１５】
また、表示器の画面上における、縮小サイズの画像の表示位置については、覗き見者から見えにくい位置にすればよい。例えば、覗き込み者の視線の方向を推定し、その視線から外れる位置に表示すればよい。視線の方向は、検知した人物の顔の向きや、黒目と白目の位置から推定できる。
【００１６】
また、表示器の画面上における、覗き見者の可視領域を推定し、可視領域でない不可視領域に縮小サイズの画像を表示してもよい。この場合には、不可視領域の大きさに応じて、画像の縮小率を決定すればよい。
【００１７】
さらに、覗き見者を検知したときには、覗き見にかかる警告画像を表示器の画面に表示し、利用者に知らせてもよい。
【発明の効果】
【００１８】
この発明によれば、表示器の画面に表示している画像が他人に覗き見されるのを抑えられるとともに、操作性を無駄に低下させることがない。
【図面の簡単な説明】
【００１９】
【図１】表示画像制御ユニットの主要部の構成を示すブロック図である。
【図２】表示画像制御処理を示すフローチャートである。
【図３】覗き見者検知処理を示すフローチャートである。
【図４】覗き見者の視線方向を示す図である。
【図５】画面上における覗き見者の可視領域を推定する処理を説明する図である。
【図６】ＡＴＭの主要部の構成を示すブロック図である。
【図７】ＡＴＭの外観を示す概略図である。
【図８】ＡＴＭの動作を示すフローチャートである。
【図９】表示器の画面表示を示す図である。
【図１０】表示器の画面表示を示す図である。
【図１１】表示器の画面表示を示す図である。
【図１２】出金処理を示すフローチャートである。
【図１３】表示器の画面表示を示す図である。
【図１４】表示器の画面表示を示す図である。
【図１５】表示器の画面表示を示す図である。
【図１６】表示器の画面表示を示す図である。
【発明を実施するための形態】
【００２０】
以下、この発明の実施形態について説明する。
【００２１】
まず、この発明の実施形態である表示画像制御ユニットについて説明する。図１は、この表示画像制御ユニットの主要部の構成を示すブロック図である。この表示画像制御ユニット１は、表示器３の画面上における画像の表示を制御する。具体的には、表示画像制御ユニット１は、覗き見している他人（覗き見者）がいるときには、表示器３の画面上に表示している画像を縮小して表示することで、利用者以外の他人に覗き見されるのを抑える。また、表示画像制御ユニット１は、覗き見している他人がいないときには、表示器３の画面上に表示している画像を縮小することなく通常サイズで表示することにより、利用者に対して表示器３の画面上に表示している画像の視認性を確保し、操作性を無駄に低下させない。
【００２２】
この表示画像制御ユニット１は、図１に示すように、制御部１１と、画像処理部１２と、表示制御部１３と、入力部１４と、を備えている。
【００２３】
制御部１１は、表示画像制御ユニット１の動作を制御する。この制御部１１には、この発明にかかる表示画像制御プログラムがインストールされている。
【００２４】
画像処理部１２は、接続されているビデオカメラ２の撮像画像を処理する。ビデオカメラ２は、表示器３の前方を撮像する向きに取り付けており、この表示器３の画面に表示している画像を見ている人物の顔を撮像する。ビデオカメラ２は、１秒間に数十フレーム（例えば、６０フレーム）の撮像画像を出力する。画像処理部１２は、入力されているビデオカメラ２の撮像画像を処理し、表示器３の画面に表示している画像を見ている人物を抽出する。
【００２５】
具体的には、画像処理部１２は、ビデオカメラ２の撮像画像に撮像されている人物を検知する。人物の検知は、公知のパターンマッチングによる顔の検知等で行う。また、画像処理部１２は、撮像画像上における顔の大きさから、表示器３の画面からの距離を推定する。表示器３の画面からの距離が、予め定めた距離（１〜３ｍ程度）以上である人物については、表示器３の周囲を通行している通行人と判断する。
【００２６】
画像処理部１２は、表示器３の画面からの距離が、予め定めた距離よりも近い人物について、視線の方向を推定し、推定した視線の方向が表示器３の画面が位置する方向であれば、その人物を表示器３の画面に表示している画像を見ている人物と判断する。視線の方向は、顔の向き、および黒目の位置から推定できる。
【００２７】
画像処理部１２は、表示器３の画面に表示している画像を見ている人物が１人であれば、その人物を利用者と判断する。また、表示器３の画面に表示している画像を見ている人物が複数人であれば、表示器３の画面に最も近い人物を利用者、残りの人物を表示器３の画面上に表示している画像を覗き見している覗き見者と判断する。
【００２８】
また、画像処理部１２は、覗き見者がいると判断した場合、表示器３の画面上における覗き見者の死角を推定する処理も行う。具体的には、覗き見者の視線方向に基づいて、表示器３の画面上における覗き見者の可視領域を推定し、ここで推定した可視領域以外を当該覗き込み者の死角と推定する。また、画像処理部１２は、このとき、ビデオカメラ２の撮像画像から、利用者と覗き見者との位置関係、および利用者の体の輪郭を検出し、覗き見者の視野内であっても、その視野が利用者の体によって遮られる領域については、当該覗き見者の死角と推定する。
【００２９】
表示制御部１３は、表示器３における画像の表示を制御する。具体的には、表示制御部１３は、表示器３の画面に表示する画像について、画像処理部１２における覗き見者の検知結果に基づき、そのサイズや、画面上における表示位置の調整を行う。具体的には、覗き込み者がいなければ、通常サイズで表示器３の画面の中央に表示する。一方、覗き込み者がいれば、画像を覗き込み者の死角に収まるサイズに縮小し、当該死角に表示する。
【００３０】
入力部１４は、表示器３の画面に貼付しているタッチパネルの押下位置を検知する。入力部１４は、検知したタッチパネルの押下位置から、入力の種類を判断する。
【００３１】
次に、この表示画像制御ユニット１の動作について説明する。図２は、表示画像制御ユニットにおける表示画像制御処理を示すフローチャートである。表示画像制御ユニット１は、表示器３における画像表示の開始要求があったときに、この表示画像制御処理を開始する。まず、表示器３に表示する画像を通常サイズに設定する（ｓ１）。この通常サイズは、画像が表示器３の画面全体に表示される大きさである。表示制御部１３は、表示器３の画面上における画像の表示を開始する（ｓ２）。表示器３の画面に表示する画像は、表示制御部１３の画像メモリに記憶している画像であってもよいし、図示していない外部機器から取り込んだ画像であってもよい。表示制御部１３は、表示する画像の画像信号を表示器３に入力する。表示制御部１３は、その時点において設定されている表示サイズの画像の画像信号を表示器３に入力する。表示画像制御ユニット１は、覗き見者を検知する検知タイミングになるか（ｓ３）、表示器３における画像表示の終了タイミングになるのを待つ（ｓ４）。
【００３２】
表示画像制御ユニット１は、ｓ４で表示器３における画像表示の終了タイミングになったと判断すると、ｓ２で開始した表示器３の画面上における画像の表示を終了する（ｓ１４）。
【００３３】
表示画像制御ユニット１は、覗き見者を検知する検知タイミングになったと判定すると、以下に示すｓ５以降の処理を実行する。この覗き見者を検知する検知タイミングは、一定時間間隔、例えば数分（１〜２分）間隔、で繰り返しおとずれるタイミングであってもよいし、予め定めた１または複数の画像について、この画像を表示器３の画面に表示するタイミングとしてもよい。表示画像制御ユニット１は、ｓ３で覗き見者を検知する検知タイミングになったと判断すると、覗き見者検知処理を実行する（ｓ５）。
【００３４】
図３は、ｓ５にかかる覗き見者検知処理を示すフローチャートである。画像処理部１２が、ビデオカメラ２の撮像画像を取り込み、撮像されている人物を検知する（ｓ２１）。この人物の検知は、公知のパターンマッチングによる顔の検知等で行う。画像処理部１２は、顔を検知した人物毎に、撮像画像上における顔の大きさから、表示器３の画面からの距離を推定する（ｓ２２）。
【００３５】
なお、ここではビデオカメラ２として、単眼のカメラを利用しているので、顔の大きさを用いて表示器３の画面からの距離を推定しているが、ステレオカメラを利用し、被写体までの距離画像が得られるステレオカメラを利用し、この距離を得る構成としてもよい。
【００３６】
画像処理部１２は、ここで推定した距離が、予め定めた距離（１〜３ｍ程度）以上である人物を処理対象外（覗き込み者でない。）と判断し、処理対象にする人物を絞り込む（ｓ２３）。言い換えれば、画像処理部１２は、ここで推定した距離が、予め定めた距離未満である人物を処理対象と判断する。ｓ２２、ｓ２３では、表示器３の画面からの距離によって、処理対象者の絞り込みを行っている。
【００３７】
画像処理部１２は、処理対象とした人物毎に、視線の方向を推定する（ｓ２４）。視線の方向は、顔の向き、および黒目の位置から推定する。また、ビデオカメラ２で撮像した複数のフレーム画像を処理し、フレーム画像毎に推定した視線の方向から、その人物の視線の方向を推定する。これにより、各人物の視線の方向を精度良く推定できる。
【００３８】
画像処理部１２は、ｓ２４で推定した視線の方向が、表示器３の画面が位置する方向でない人物を処理対象外（覗き込み者でない。）と判断し、処理対象にする人物をさらに絞り込む（ｓ２５）。ｓ２４、ｓ２５では、視線の方向により、処理対象者のさらなる絞り込みを行っている。
【００３９】
画像処理部１２は、ｓ２５で絞り込んだ処理対象者の中から、利用者を特定する（ｓ２６）。ｓ２６では、絞り込んだ処理対象者がいなければ、利用者無と判断する。また、絞り込んだ処理対象者が１人であれば、当該処理対象者を利用者と判断する。さらに、絞り込んだ処理対象者が２人以上であれば、表示器３の画面に最も近い処理対象者を利用者と判断するとともに、残りの処理対象者を覗き見者と判断する。
【００４０】
画像処理部１２は、覗き見者がいれば、覗き見者毎に、表示器３の画面上の死角を推定する（ｓ２７、ｓ２８）。ｓ２８では、覗き見者毎に、先に推定した画面までの距離と、視線の方向とに基づき、画面上における当該覗き見者の視点の中心位置を推定する。具体的には、図４に示すように、表示器３の画面上において、覗き見者の目から、推定した視線方向に伸ばした直線の到達点を、画面上における当該覗き見者の視点の中心位置として推定する。図４では、覗き見者が１人である場合を示している。画像処理部１２は、推定した画面上における覗き見者の視点の中心位置を重心とする矩形の領域を、当該覗き見者の可視領域とし、その他の部分を当該覗き見者の死角と推定する具体的には、図５に示すように、画面上における覗き見者の視点の中心位置を重心とし、水平方向の長さａ、垂直方向の長さｂの矩形を可視領域として推定する。水平方向の長さａ、および垂直方向の長さｂは、それぞれ、
ａ＝Ｌ×ｔａｎα
ｂ＝Ｌ×ｔａｎβ
である。Ｌは、先に推定した、覗き見者と、表示器３の画面と、の距離である。すなわち、覗き見者と、表示器３の画面と、の距離が長くなるにつれて、設定される可視領域も大きくなる。また、α、およびβは、一般的な人の目の、水平方向の視野角、垂直方向の視野角に基づいて、予め設定している。
【００４１】
また、画像処理部１２は、このとき、ビデオカメラ２の撮像画像から、利用者と覗き見者との位置関係、および利用者の体の輪郭を検出し、覗き見者の視野内であっても、その視野が利用者の体によって遮られる領域については、当該覗き見者の死角と推定する。すなわち、覗き見者の視点から推定した表示器３の画面上における、覗き見者の可視領域（上述の水平方向の長さａ、垂直方向の長さｂの矩形領域）内であって、当該覗き見者の視野が、前方に位置する利用者の肩や腕等の体によって遮られる表示器３の画面上の領域も、覗き見者の死角と推定する。
【００４２】
画像処理部１２は、表示器３の画面上において、覗き見者全員の死角になる領域を推定する（ｓ２９）。すなわち、ｓ２９では、いずれの覗き見者からも見えない画面上の領域（死角領域）を推定する。画像処理部１２は、今回の覗き見者検知処理の処理結果を制御部１１に通知し（ｓ３０）、本処理を終了する。ｓ３０では、覗き見者の有無、および覗き見者がいた場合には、ｓ２９で推定した画面上の死角領域を制御部１１に通知する。
【００４３】
表示画像制御ユニット１は、ｓ５にかかる上述の覗き見者検知処理が完了すると、今回覗き見者が検知されたかどうかを判定する（ｓ６）。表示画像制御ユニット１は、今回覗き見者が検知されていなければ、ｓ３に戻り、上述した処理を繰り返す。
【００４４】
表示画像制御ユニット１は、今回の覗き見者検知処理で覗き見者が検知されていれば、前回の覗き見者検知処理においても、覗き見者が検知されていたかどうかを判定する（ｓ７）。表示画像制御ユニット１は、前回の覗き見者検知処理で覗き見者が検知されていなければ、すなわち前回覗き見者がいなければ、覗き見者がいる旨を利用者に通知するメッセージを表示器３の画面に表示し（ｓ８）、画像の表示サイズを縮小サイズにするかどうかについての利用者の入力を待つ（ｓ９）。
【００４５】
上述の覗き込み処理で検出された覗き込み者は、利用者の同伴者である可能性がある。したがって、上述したｓ５にかかる覗き込み者検知処理で覗き込み者を検知したことにより、表示器３における画像の表示サイズを縮小サイズにすると、利用者の操作性を無駄に低下させることになる。このため、この表示画像制御ユニット１は、ｓ９で画像の表示サイズを縮小サイズにするかどうかについての利用者の入力を待つ構成としている。
【００４６】
利用者は、覗き見者が同伴者であれば画像の表示サイズを縮小しない旨にかかる入力操作を行い、同伴者でなければ画像の表示サイズを縮小する旨の入力操作を行えばよい。
【００４７】
表示画像制御ユニット１は、画像の表示サイズを縮小しない旨の入力があると、ｓ３に戻り、上述した処理を繰り返す。
【００４８】
表示画像制御ユニット１は、ｓ７で前回の覗き見者検知処理でも覗き見者が検知されていたと判断した場合、表示器３における画像の表示サイズをすでに縮小サイズに設定しているかどうかを判定する（ｓ１０）。ｓ１０では、で前回の覗き見者検知処理で、利用者に覗き見者がいることを通知しているので、その覗き見者が利用者の同伴者であるかどうかを判定している。表示画像制御ユニット１は、画像の表示サイズが縮小サイズに設定されていない（通常サイズに設定されている。）場合、今回検知した覗き見者も、利用者の同伴者であると判断し、ｓ３に戻る。
【００４９】
表示画像制御ユニット１は、ｓ９で画像の表示サイズを縮小サイズにする旨の入力があった場合、または、ｓ１０ですでに縮小サイズに設定していると判定した場合、表示器３の画面上における画像の表示領域を決定する（ｓ１１）。表示画像制御ユニット１は、今回の覗き見者検知処理で得た、いずれの覗き見者からも見えない画面上の領域（死角領域）に基づき、表示器３の画面上における画像の表示領域を決定する。ここで、決定する表示器３の画面上における画像の表示領域は、死角領域である。すなわち、表示器３の画面上における、覗き込み者から見えない領域を表示領域に決定する。
【００５０】
表示画像制御ユニット１は、ｓ１１で決定した表示領域の大きさに基づき、表示器３の画面上に表示する画像の縮小率を算出する（ｓ１２）。ｓ１２では、ｓ１１で決定した表示領域に収まるサイズに画像を縮小する縮小率を算出する。これにより、表示器３の画面上に表示する画像を無駄に縮小することがない。表示制御部１３は、表示器３に表示する画像を縮小サイズに設定し（ｓ１３）、ｓ３に戻る。これ以降、表示制御部１３は、ｓ１１で決定した画像の表示領域に、ｓ１２で算出した縮小率で縮小した縮小サイズの画像を表示する。
【００５１】
このように、この表示画像制御ユニット１は、覗き見者が検知されていないときには、表示器３の画面における画像の表示サイズを通常サイズとし、覗き見者が検知されているときには、利用者の要求に応じて、表示器３の画面における画像の表示サイズを通常サイズよりも小さい縮小サイズに変更する。したがって、表示器３の画面上に表示している画像が他人に覗き見されるのを抑えられるとともに、利用者の操作性を無駄に低下させることがない。
【００５２】
また、単に表示する画像を縮小するだけでなく、表示器３の画面上における覗き見者の死角領域を推定し、その死角領域に表示するので、一層確実に覗き見されるのを防止できる。
【００５３】
また、覗き見者を検知したときには、その旨を利用者に通知するので、利用者が表示器３の画面上における画像の表示を終了させることもでき、覗き見に対するセキュリティの向上も図れる。
【００５４】
次に、上述の表示画像制御ユニットを適用した現金自動預け払い機（以下、ＡＴＭと言う。）の実施形態について説明する。ＡＴＭ２１は、金融機関の店舗や、コンビニエンスストアに設置され、利用者の入力操作に応じて、金融機関に開設されている口座に対する入金取引、出金取引等の各種取引を処理する。
【００５５】
図６は、このＡＴＭの主要部の構成を示すブロック図である。図７は、このＡＴＭの外観を示す概略図である。ＡＴＭ２１は、主制御部２２と、上述の表示画像制御ユニット１と、ビデオカメラ２と、表示器３と、紙幣処理ユニット２３と、硬貨処理ユニット２４と、カード・明細書処理ユニット２５と、通帳処理ユニット２６と、生体情報読取ユニット２７と、通信ユニット２８と、を備えている。主制御部２２は、ＡＴＭ２１本体各部の動作を制御する。
【００５６】
表示画像制御ユニット１は、上述したものである。表示器３は、本体正面に取り付けている。ビデオカメラ２は、表示器３の正面を撮像する向きに取り付けている。表示画像制御ユニット１は、利用者に対する操作案内画面等を表示器３に表示する。主制御部２２が、表示画像制御ユニット１に対して、表示器３の画面に表示する操作案内画面の種類を指示する。また、表示画像制御ユニット１は、表示器３の画面に表示する操作案内画面のサイズや、表示位置については、上述した覗き見者の検知結果等に基づいて、設定する。また、表示画像制御ユニット１は、表示器３の画面上に貼付したタッチパネルの押下位置を検知することにより、取引（取引種別、暗証番号、入出金金額等）にかかる利用者の入力操作も検出する。表示画像制御ユニット１は、取引にかかる入力操作については、主制御部２２に通知する。
【００５７】
なお、ここでは、ビデオカメラ２については、ＡＴＭ２１本体に取り付けている場合を例示しているが、ＡＴＭ２１の正面を撮像領域に含む、店舗内に設置した監視カメラ等を利用することも可能である。
【００５８】
紙幣処理ユニット２３は、入出金紙幣を処理する。本体正面には、入出金紙幣を収納する紙幣入出金口２３ａを設けている。この紙幣入出金口２３ａには、シャッタが設けられている。また、紙幣入出金口２３ａには、入金紙幣、出金紙幣、および返却紙幣の収納場所を区別する仕切り板が設けられている。紙幣処理ユニット２３は、このシャッタの開閉により、紙幣入出金口２３ａに対する紙幣の投入や取り出しを制限する。
【００５９】
硬貨処理ユニット２４は、本体正面に設けた硬貨入出金口２４ａと、本体内部に収納されている硬貨カートリッジと、の間に形成された硬貨搬送路に沿って硬貨を搬送する。また、硬貨処理ユニット２４は、硬貨搬送路に沿って搬送している硬貨毎に、金種、および真偽を識別する硬貨識別部を有している。
【００６０】
カード・明細書処理ユニット２５は、本体正面に設けたカード挿入口２５ａに挿入されたカードを取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。さらに、カード・明細書処理ユニット２５は、取引内容を明細書に印字する印字部を有する。カード・明細書処理ユニット２５は、取引内容を印字した明細書を本体正面に設けた明細書放出口２５ｂに放出する。
【００６１】
通帳処理ユニット２６は、本体正面に設けた通帳挿入口２６ａに挿入された通帳を取り込み、この通帳に対して取引履歴を印字する印字部（不図示）を有している。また、通帳処理ユニット２６は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００６２】
また、生体情報読取ユニット２７は、本体正面に設けた指静脈読取ユニット（不図示）を有している。この指静脈読取ユニットは、載置された利用者の指から指静脈を読み取る。さらに、通信ユニット２８は、金融機関のセンタに設置されているホスト装置等との間における通信を制御する。ホスト装置は、開設されている口座毎に、口座番号、暗証番号、口座残高等を含む、口座管理情報を記憶し、各口座を管理する。
【００６３】
次に、このＡＴＭ２１の動作について説明する。図８は、ＡＴＭの動作を示すフローチャートである。ＡＴＭ２１は、図示していない近接センサにより利用者を検知すると（ｓ４１）、表示画像制御ユニット１が図２に示した表示画像制御処理を開始する（ｓ４２）。ここで開始する表示画像制御処理は、このＡＴＭ２１の動作と並行して実行される。また、この表示画像制御処理においては、取引開始時、利用者が個人情報（暗証番号、取引金額等）を入力するとき等に、ｓ３で覗き見者の検知タイミングであると判定する。
【００６４】
表示画像制御ユニット１は、主制御部２２の指示にしたがって、図９に示す取引種別選択画面を表示器３に表示する（ｓ４３）。この取引種別選択画面は、通常サイズの画像で表示される。表示画像制御ユニット１は、この時点で実行している表示画像制御処理のｓ３で、覗き見者の検知タイミングになったと判定し、上述した覗き見者検知処理を実行する。表示画像制御ユニット１は、覗き見者がいることを検知すると、上述したｓ８で、図１０に示す画像を表示器３に表示する。表示画像制御ユニット１は、利用者による表示画像を縮小するかどうかの入力を受け付ける。表示画像制御ユニット１は、ここで縮小する旨の入力を受け付けると、図１１に示す縮小サイズの取引種別選択画面を、今回検知した表示器３の画面上における死角領域に表示する。
【００６５】
なお、表示画像制御ユニット１は、覗き込み者がいなかった場合や、利用者が画像の表示サイズを通常サイズにする（縮小サイズにしない）旨の入力を行ったときには、表示器３における取引種別選択画面の表示を、図９に示す通常サイズに維持する。
【００６６】
ＡＴＭ２１は、取引種別の選択を受け付けると（ｓ４４）、ここで選択された種別の取引処理を実行し（ｓ４５）、本処理を終了する。
【００６７】
ｓ４４で出金処理が選択された場合を例にして説明する。図１２は、ＡＴＭにおける出金処理を示すフローチャートである。
【００６８】
ＡＴＭ２１は、利用者がカード挿入口２５ａに挿入したキャッシュカード（以下、単にカードと言う。）を受け付ける（ｓ５１）。カード・明細書処理ユニット２５は、今回受け付けたカードに記録されている口座番号等のカード情報を読み取る。
【００６９】
表示画像制御ユニット１は、主制御部２２からの指示にしたがって、表示器３の画面に図１３、または図１４に示す暗証番号の入力画面を表示する（ｓ５２）。図１３は、通常サイズに設定されている場合の暗証番号の入力画面を示しており、図１４は縮小サイズに設定されている場合の暗証番号の入力画面を示している。また、表示画像制御ユニット１は、ｓ５２で暗証番号の入力画面を表示すると、ｓ３で覗き見者の検知タイミングであると判定し、上述した処理を実行する。また、今回の覗き見者検知処理で覗き見者がいることを初めて検知すると、上述したｓ８で、図１０に示す画像を表示器３に表示する。
【００７０】
ＡＴＭ２１は、暗証番号の入力を受け付ける（ｓ５３）。ＡＴＭ２１は、入力された暗証番号が正しいかどうかの認証をセンタに要求し、その認証結果を得る暗証番号認証処理を行う（ｓ５４）。この暗証番号認証処理では、ＡＴＭ２１は、カードから読み取った口座番号と、今回入力された暗証番号とを含む暗証番号認証要求をセンタに送信する。センタは、口座管理情報を用いて、今回送信されてきた暗証番号認証要求に含まれている暗証番号が適正であるかどうかを認証し、認証結果をＡＴＭ２１に返信する。
【００７１】
なお、ＡＴＭ２１は、センタから暗証番号が間違っている旨の認証結果を受信すると、再度暗証番号の入力を利用者に要求し、暗証番号認証処理を再度行う。また、入力された暗証番号が、連続して、所定回数（例えば３回）間違っていた場合には、取引を中止する（ｓ５５、ｓ６２）。
【００７２】
ＡＴＭ２１は、暗証番号が適正であると、表示画像制御ユニット１が主制御部２２からの指示にしたがって、表示器３の画面に図１５、または図１６に示す出金金額の入力画面を表示する（ｓ５５、ｓ５６）。図１５は、通常サイズに設定されている場合の出金金額の入力画面を示しており、図１６は縮小サイズに設定されている場合の出金金額の入力画面を示している。
【００７３】
また、表示画像制御ユニット１は、ｓ５６で出金金額の入力画面を表示すると、ｓ３で覗き見者の検知タイミングであると判定し、上述した処理を実行する。また、今回の覗き見者検知処理で覗き見者がいることを初めて検知すると、上述したｓ８で、図１０に示す画像を表示器３に表示する。
【００７４】
ＡＴＭ２１は、出金金額の入力を受け付ける（ｓ５７）。ＡＴＭ２１は、入力された出金金額の出金取引の可否にかかる認証をセンタに要求し、その認証結果を得る出金取引認証処理を行う（ｓ５８）。この出金取引認証処理では、ＡＴＭ２１は、カードから読み取った口座番号と、今回入力された出金金額とを含む出金取引認証要求をセンタに送信する。センタは、口座管理情報を用いて、今回送信されてきた出金取引認証要求に含まれている出金金額が口座残高内の取引であるかどうか等を認証し、認証結果をＡＴＭ２１に返信する。
【００７５】
ＡＴＭ２１は、センタからの認証結果が出金取引可であれば、出金処理を行い（ｓ５９、ｓ６０）、カードの返却や今回の取引にかかる明細書の発行等を行う（ｓ６１）。反対に、センタからの認証結果が出金取引不可であれば、取引を中止する取引中止処理を行う（ｓ５９、ｓ６２）。ｓ６２では、ＡＴＭ２１は、カードの返却等を行う。
【００７６】
このように、このＡＴＭ２１は、出金取引時には、暗証番号の入力時や、出金金額の入力時に覗き見者検知処理を実行するので、利用者が入力する暗証番号や出金金額等が他人に覗き見されるのを抑えられる。
【００７７】
また、このＡＴＭ２１は、入金取引、残高照会取引、振込取引等の出金取引以外の各種取引においても、利用者が暗証番号、入金金額、振込先口座番号、振込金額等の個人情報を入力するときや、口座残高等を表示器３の画面上に表示するときに、表示画像制御ユニット１がｓ３で覗き見者の検知タイミングであると判断し、覗き見検知処理を実行する。
【００７８】
また、ＡＴＭ２１は、覗き見検知処理で、２回、または３回連続して覗き見者を検知したときには、取引を強制的に中止する構成としてもよい。これにより、覗き見に対するセキュリティを一層向上できる。
【００７９】
なお、ＡＴＭ２１は、利用者が途中で取引を中止する旨の入力操作を行ったときには、取引中止処理を行う。すなわち、利用者は、覗き見者がいることに気づいたとき、ＡＴＭ２１での取引を中止することができる。
【００８０】
また、上記の説明では、本願発明にかかる表示画像制御ユニット１をＡＴＭ２１に適用した場合について説明したが、この表示画像制御ユニット１は、コンビニエンスストアに設置されているコンサート等のイベントのチケット販売機、病院等に設置されている医療費の精算機等、色々な機器に適用可能である。
【符号の説明】
【００８１】
１…表示画像制御ユニット
２…ビデオカメラ
３…表示器
１１…制御部
１２…画像処理部
１３…表示制御部
１４…入力部
２１…ＡＴＭ
２２…主制御部
２３…紙幣処理ユニット
２４…硬貨処理ユニット
２５…明細書処理ユニット
２６…通帳処理ユニット
２７…生体情報読取ユニット
２８…通信ユニット
【図１】
2012027641.tif 000003
【図２】
2012027641.tif 000004
【図３】
2012027641.tif 000005
【図４】
2012027641.tif 000006
【図５】
2012027641.tif 000007
【図６】
2012027641.tif 000008
【図７】
2012027641.tif 000009
【図８】
2012027641.tif 000010
【図９】
2012027641.tif 000011
【図１０】
2012027641.tif 000012
【図１１】
2012027641.tif 000013
【図１２】
2012027641.tif 000014
【図１３】
2012027641.tif 000015
【図１４】
2012027641.tif 000016
【図１５】
2012027641.tif 000017
【図１６】
2012027641.tif 000018